(57)【要約】      （修正有）【課題】イエシロアリの現物がいなくなる冬場においても、翌年春まで施工を待つことなく施工することのできる、建築物におけるシロアリの駆除及び予防方法の提供する。【解決手段】建築物におけるシロアリの駆除及び予防方法であって、建築物内に存在するシロアリの蟻道１のうち、少なくとも選択した蟻道１Ｓとその周辺部１Ｅとを除いて薬液処理を行い；次いで、薬液処理を行わなかった箇所について、全ての選択した蟻道１Ｓにベイト剤を設置する（図ではベイト容器３を設置している）ことと、全ての選択した蟻道１Ｓの周辺部１Ｅの土壌にベイト剤含有シート４を敷き詰めることと、からなるベイト剤処理を施す。【選択図】図１
2018082640.tif 000002
【特許請求の範囲】
【請求項１】
建築物におけるシロアリの駆除及び予防方法であって、
当該建築物内に存在するシロアリの蟻道のうち、少なくとも選択した蟻道とその周辺部とを除いて薬液処理を行い；
次いで、薬液処理を行わなかった箇所について、全ての選択した蟻道にベイト剤を設置することと、全ての選択した蟻道の周辺部の土壌にベイト剤含有シートを敷き詰めることと、からなるベイト剤処理を施す；
ことを特徴とする、建築物におけるシロアリの駆除及び予防方法。
【請求項２】
シロアリの蟻道のうち、シロアリの被害状況や蟻道の太さからみて蟻道を選択する、請求項１に記載の方法。
【請求項３】
選択した蟻道の周辺部の土壌が、選択した蟻道から半径５０ｃｍ程度の圏内の土壌である、請求項１又は２に記載の方法。
【請求項４】
ベイト剤が、昆虫成長抑制剤である、請求項１〜３のいずれかに記載の方法。
【発明の詳細な説明】
【技術分野】
【０００１】
本発明は、ベイト剤を用いた、建築物におけるシロアリの駆除及び予防方法に関し、詳しくはヤマトシロアリはもとより、活性低下・停止時期に入ってしまう冬場のイエシロアリについて、翌年春まで施工を待つことなく有効に駆除及び予防の施工を行うことができる、建築物におけるシロアリの駆除及び予防方法に関する。
なお、本発明において「活性低下・停止時期」とは、活性が低下乃至停止する時期を指しており、この時期にイエシロアリは巣に戻ってじっとしている。
【背景技術】
【０００２】
シロアリは木材中のセルロースを栄養源とする。建物の柱、土台等を食害することで建築物の強度を低下させる。
シロアリは、昆虫綱ゴキブリ目シロアリ科又はシロアリ目（等翅目）に属する昆虫の総称であり、日本で最も大きな被害となるシロアリ種としては、「ヤマトシロアリ」と「イエシロアリ」が挙げられる。これらは同じ地下シロアリであるが、生態が異なるため、それに合わせて近年は防除方法も異なっている。
例えば、「ヤマトシロアリ」は、北海道北部を除く日本全土に生息しており、性格的には、刺激に敏感で臆病であり、加害スピードは比較的遅く、加害箇所が巣を兼ねている。コロニーの大きさは、せいぜい３万匹程度である。
これに対して、「イエシロアリ」は、千葉県以西の海岸線沿いに生息しており、性格的には、獰猛であり、加害スピードは速く、加害箇所とは別に巣を造るという特色がある。コロニーの大きさは、ヤマトシロアリに比べて大きく、１０万匹〜３０万匹、大きいものでは１００万匹というものもあり、被害は格段に大きい。
【０００３】
日本のシロアリ防除施工（防除処理）では、通常、まず侵入したシロアリを死に至らしめて駆除する「駆除施工（駆除処理）」（以下、単に「駆除施工」と称する。）を行い、次いでシロアリに再度侵入されないよう「予防施工（予防処理）」（以下、単に「予防施工」と称する。）を行っている。
【０００４】
ヤマトシロアリの場合、「加害箇所が巣を兼ねている」ので、シロアリの現物がいる被害箇所のみに液剤処理を行うだけで駆除することができる。
【０００５】
一方、イエシロアリの場合、「加害箇所とは別に巣を造る」ので、イエシロアリの現物がいる被害箇所だけ液剤処理をしても、女王・王がいる巣は生き残り、完全に駆除することは難しかった。
そこでイエシロアリでは、従来、巣を見つけ、巣ごと駆除するという方法がとられていた。
しかし、この駆除方法には専門的知識と勘が必要で、現在ではあまり主流ではない。
そこで、現在では、「ベイト剤処理」と呼ばれる駆除方法が主流となっている。
この「ベイト剤処理」は、シロアリの習性を利用して、ベイト剤（毒餌）を巣に持ち帰らせることで、コロニー全体を撲滅する駆除方法である（例えば、特許文献１、２参照）。
【０００６】
また、「予防施工」については、シロアリに再度侵入されないように、一般的には床下全体を液剤で土壌処理する方法が行われている。
【０００７】
ヤマトシロアリでは、「駆除施工」も「予防施工」も、通常、液剤処理であるため、駆除と予防を一緒に行うことができる。
これに対して、イエシロアリについてベイト剤処理を行う場合、まずベイト剤処理で２ヶ月程度かけて「駆除施工」を行い、次いで液剤処理により「予防施工」を行うのが一般である。
このイエシロアリについてのシロアリ防除施工には、次のような問題がある。
【０００８】
上記したように、イエシロアリについては、現在では、「ベイト剤処理」と呼ばれる駆除方法が主流となっているが、この「ベイト剤処理」は、イエシロアリの現物がいないと効果がでない。
即ち、「ベイト剤処理」では、イエシロアリに毒餌を食べさせなくてはならないので、現物がいなくてはならない。そのため、イエシロアリを誘引する仕掛けが様々にとられている。
しかし、いくら様々な仕掛けで誘引しようとしても、寒いとイエシロアリは巣に戻り、活性（活動）低下・停止時期に入ってしまう。
【０００９】
このため、被害箇所にイエシロアリの現物がいなくなる冬場（イエシロアリの分布が確認されている千葉県以西の地域では、一般に１１月中旬から３月頃までの間）にイエシロアリ被害を見つけた場合には、翌年春まで施工を行うことができず、その分、施工できる期間が短くなってしまうという問題があった。
また、イエシロアリの現物がいなくなる冬場にイエシロアリ被害を見つけたが、同時にヤマトシロアリも共存していたような場合には、通常、まずイエシロアリ施工から行うため、翌年春まで施工を待っている間にヤマトシロアリ被害が広がってしまうという問題もあった。
【先行技術文献】
【特許文献】
【００１０】
【特許文献１】特表２０００−５０３８４４号公報
【特許文献２】特開２００２−３１５４９３号公報
【発明の概要】
【発明が解決しようとする課題】
【００１１】
本発明は、上記従来の問題点を解消し、イエシロアリの現物がいなくなる冬場においても、翌年春まで施工を待つことなく施工することのできる、建築物におけるシロアリの駆除及び予防方法を提供することを目的とするものである。
【課題を解決するための手段】
【００１２】
本発明者らは、上記従来の問題点を解消するため、鋭意検討を重ねた。
その過程で、従来の防除施工の順序を変えたらどうかと考え、まず液剤処理により「予防施工」を行った後に、ベイト剤処理で「駆除施工」を行うことを考えた。
しかしながら、この場合、イエシロアリは液剤処理を嫌い、被害箇所を忌避して、ベイト剤（毒餌）にヒットしなくなり、ベイト剤（毒餌）を食べさせることができないことが分かった。ベイト剤（毒餌）で巣ごとイエシロアリを撲滅できていないので、すぐ再発してしまう。
【００１３】
このため、ベイト剤処理で「駆除施工」を行い、次いで液剤処理により「予防施工」を行うという、これまでの防除施工の順序を変えることはできないと思われた。
しかし、本発明者らは、諦めることなくさらに検討を重ねた結果、蟻道など、イエシロアリの通路となるような場所を除いて部分的に液剤処理し、その後、液剤処理しなかった蟻道などにベイト剤（毒餌）を置いておくことにより、予想外にも、翌年春にはイエシロアリが戻り、蟻道などにおいたベイト剤（毒餌）を食べてくれることを見出し、この知見に基づいて本発明を完成するに至った。
即ち、本発明では、まず「ヤマトシロアリの防除」及び「この処理後に、ベイト剤によるイエシロアリの駆除ができる」ような薬液処理を行った後に、イエシロアリ駆除のためのベイト剤処理を行うものであり、これにより、従来の問題点を解消しているものである。
【００１４】
すなわち、本発明は、以下の（１）から（４）に関する。
（１）：建築物におけるシロアリの駆除及び予防方法であって、
当該建築物内に存在するシロアリの蟻道のうち、少なくとも選択した蟻道とその周辺部とを除いて薬液処理を行い；
次いで、薬液処理を行わなかった箇所について、全ての選択した蟻道にベイト剤を設置することと、全ての選択した蟻道の周辺部の土壌にベイト剤含有シートを敷き詰めることと、からなるベイト剤処理を施す；
ことを特徴とする、建築物におけるシロアリの駆除及び予防方法。
（２）：シロアリの蟻道のうち、シロアリの被害状況や蟻道の太さからみて蟻道を選択する、前記（１）に記載の方法。
（３）：選択した蟻道の周辺部の土壌が、選択した蟻道から半径５０ｃｍ程度の圏内の土壌である、前記（１）又は（２）に記載の方法。
（４）：ベイト剤が、昆虫成長抑制剤である、前記（１）〜（３）のいずれかに記載の方法。
【発明の効果】
【００１５】
本発明によれば、蟻道など、イエシロアリの通路となるような場所を除いて部分的に液剤処理し、その後、液剤処理しなかった蟻道などにベイト剤（毒餌）をおくことにより、翌年春にはイエシロアリが戻り、蟻道などにおいたベイト剤（毒餌）を食べてくれることから、シロアリの駆除施工及び予防施工の効果が十分に認められる。
従って、本発明によれば、イエシロアリの現物がいなくなる冬場においても、建築物におけるシロアリの駆除施工及び予防施工を翌年春まで待つことなく実施することができる。
また、本発明の方法では、翌年春にイエシロアリが戻ってくるように一部分液剤処理をせず、そこにベイト剤を敷き詰めており、他の部分は液剤処理していることから、翌年春を待つことなく、ヤマトシロアリについての防除施工は完了できる。
【図面の簡単な説明】
【００１６】
【図１】建築物床下におけるシロアリの駆除及び予防方法の施工状況等を示す平面図である。
【図２】本発明の建築物におけるシロアリの駆除及び予防方法の一実施形態を示す説明図である。
【発明を実施するための形態】
【００１７】
以下、本発明を図面に示す実施の形態に基づいて詳細に説明するが、本発明は、以下の具体的な実施の形態に限定されるものではない。
図１は、建築物床下におけるシロアリの駆除及び予防方法の施工状況等を示す平面図であり、図２は、本発明に係る建築物におけるシロアリの駆除及び予防方法の一実施形態を示す説明図である。
【００１８】
本発明に係る建築物におけるシロアリの駆除及び予防方法は、基本的には、被害箇所にイエシロアリの現物がいなくなる冬場（イエシロアリの分布が確認されている千葉県以西の地域では、一般に１１月中旬から３月頃までの間）にイエシロアリ被害を見つけた場合を対象とするが、必ずしもこれに限定されるものではない。
【００１９】
本発明においては、建築物内に存在するシロアリの蟻道１のうち、少なくとも選択した蟻道１Ｓとその周辺部１Ｅとを除いて「薬液処理」を行う。
換言すると、本発明における薬液処理は、建築物内に存在するシロアリの蟻道１のうち、選択した蟻道１Ｓとその周辺部１Ｅとを除いた場所２について行う。
ここで「建築物内」とは、建築物そのものの他、建築物の基礎等に囲まれた土壌をも含むものである。
【００２０】
薬液処理に用いる薬液の種類やその使用量などについては、公益社団法人日本しろあり対策協会が定めた「防除施工標準仕様書」中の「ＩＩ既存建築物しろあり防除施工標準仕様書」の定めに則したものであればよく、特に制限はない。
【００２１】
一方、薬液処理を行わない対象として、本発明においては、建築物内に存在するシロアリの蟻道１のうち全てを、薬液処理を行わない対象として選択することもできるが、薬液処理の効率等を考慮して、通常は、シロアリの被害状況や蟻道の太さからみて、そのうちの一部を選択することが好ましい。
より具体的には、付近のシロアリの被害が大きいと認められる蟻道や、幅が１ｃｍ以上程度の太い蟻道を、薬液処理を行わない対象として選択する（選択した蟻道１Ｓとする）ことが好ましい。
なお、蟻道１について、図１では太い蟻道を黒塗りで示し、細い蟻道をハッチングで示している、
【００２２】
また、薬液処理を行わない対象とする、選択した蟻道の周辺部１Ｅには、上記のようにして選択した「蟻道」に近い周辺の土台Ａや基礎Ｂや土壌Ｃが含まれる。なお、原則として、土台Ａや基礎Ｂについては、薬液処理を行わないが、必要に応じて薬液処理を行うこともできる。
また、土壌については、後の「ベイト剤処理」でベイト剤含有シートを敷き詰めることになる蟻道周辺の土壌のみについて、薬液処理を行わない対象とする。
具体的には、薬液処理を行わない対象として選択した蟻道１Ｓから、半径５０ｃｍ程度の圏内の土壌については、薬液を行わない。
このような薬液処理を行わない不薬液処理圏を設けたのは、薬液が絶対に、選択した蟻道１Ｓにかからないようにするためである。
ここで「半径５０ｃｍ程度の圏内の土壌」としたのは、後の「ベイト剤処理」において、通常は、半円形だけでなく四角形状のベイト剤含有シートを土壌に敷き詰めることになるからであって、半円形の土壌部分だけを指すものではなく、四角形状の土壌部分も指している。また、「半径５０ｃｍ程度」ということで、あくまで目安としての５０ｃｍであって、これを超えたら一切含まれないというものでないことは勿論である。
【００２３】
次いで、本発明においては、上記した薬液処理を行わなかった箇所について、全ての選択した蟻道１Ｓにベイト剤を設置する（例えば、ベイト剤をそのまま置いたり、ベイト剤を入れたベイト容器３を設置したりする）ことと、全ての選択した蟻道の周辺部の土壌にベイト剤含有シート４を敷き詰めることと、からなるベイト剤処理を施す。
【００２４】
即ち、選択した蟻道１Ｓの全てに、ベイト剤を設置するが、ベイト剤の設置は、ベイト剤をそのまま置くことによって行ってもよいし、ベイト剤を入れたベイト容器３を設置することによって行ってもよい。
ここは、薬液処理を行っていない場所である。シロアリは、ベイト剤やベイト剤含有シート４を忌避することはないが、薬液処理を行った場所であると、シロアリが忌避してしまい、シロアリがベイト容器３に入らなかったりする。
なお、図１では、選択した蟻道１Ｓと、ベイト剤を設置する場所（図ではベイト容器３のある場所）とが重なって見えていることから、ここの部分を「１Ｓ（３）」と表記した。図１において、×で示したところが、シロアリに食害されている被害箇所である。なお、このシロアリに食害されている被害箇所には、木部も含まれる。
ベイト剤を設置する場所（図ではベイト容器３のある場所）は、選択した蟻道１Ｓ上であればよいが、図２に示すように、特に基礎Ｂの立ち上がり付近に設置することが最も好ましい。
【００２５】
ここでベイト容器３としては、シロアリを誘導する開口を備えたものであれば、その形状は特に限定されず、一般に使用されているものを用いることができる。図２では、箱形状のベイト容器３を示している。
このベイト容器３には、ベイト剤（毒餌）の他に、シロアリが好む材料（誘蟻材料）を入れておくこともできる。誘蟻材料としては、例えば、紙、ダンボール紙等の天然植物繊維材料が挙げられるが、これに限定されるものではない。この誘蟻材料は、シロアリが好むように、湿らせておくとよい。
【００２６】
ベイト剤（毒餌）としては、一般に用いられているものを使用することができ、具体的には例えば、昆虫の脱皮、蛹化、羽化、産卵等を抑制・阻害する昆虫成長抑制剤を挙げることができる。
【００２７】
また、全ての選択した蟻道１Ｓの周辺部の土壌に、ベイト剤含有シート４を敷き詰める。ここは、薬液処理を行っていない土壌である。前記したように、薬液処理を行った場所であると、シロアリが忌避してしまい、シロアリをベイトボックス３に誘導することができない。
【００２８】
ベイト剤含有シート４としては、上記した如きベイト剤を混ぜ込み、シート状としたものが用いられる。また、シロアリが好む材料（誘蟻材料）を混ぜ込むこともできる。
このベイト剤含有シート４としては、通常、縦が７〜８ｃｍ程度のロール状のものを６連程度繋げ、幅１００ｃｍ程度にしたものを用いるとよい。なお、角部（コーナー部）に選択した蟻道１Ｓが存在する場合には、幅５０ｃｍ程度にしたものを用いるとよい。
これにより、選択した蟻道１Ｓから「半径５０ｃｍ程度の圏内の土壌」の表面に、ベイト剤含有シート４を敷き詰めることができる。
【００２９】
上記した如き方法で、薬液処理とベイト剤処理とを行うと、被害箇所にイエシロアリの現物がいなくなる冬場にイエシロアリ被害を見つけた場合、翌年春にはイエシロアリが戻り、蟻道などにおいたベイト剤（毒餌）を食べてくれることになる。従って、シロアリの駆除施工及び予防施工の効果が十分に認められる。
従って、本発明によれば、イエシロアリの現物がいなくなる冬場においても、建築物におけるシロアリの駆除施工及び予防施工を翌年春まで待つことなく実施することができる。
冬場でなくとも、シロアリの駆除施工及び予防施工の効果が十分に認められることは言うまでもない。
また、本発明の方法では、翌年春にイエシロアリが戻ってくるように一部分液剤処理をせず、そこにベイト剤を敷き詰めており、他の部分は液剤処理していることから、翌年春を待つことなく、ヤマトシロアリについての駆除施工は完了できる。
【産業上の利用可能性】
【００３０】
本発明によれば、ヤマトシロアリはもとより、活性低下・停止時期に入ってしまう冬場のイエシロアリについて、翌年春まで施工を待つことなく有効に駆除及び予防の施工を行うことができることから、シロアリの駆除・予防を行う分野において有効に利用することが期待される。
【符号の説明】
【００３１】
１：蟻道
１Ｓ：選択した蟻道
１Ｅ：選択した蟻道の周辺
２：薬液処理する場所
３：ベイト容器
４：ベイト剤含有シート
Ａ：土台
Ｂ：基礎
Ｃ：土壌
【図１】
2018082640.tif 000003
【図２】
2018082640.tif 000004